(57)【要約】【課題】取付が容易な風向調節具を提供することを課題とする。【解決手段】室内機の空気吹出口から吹出される空気の流れる方向を調節する風向調節具であって、前記風向調節具は、前記空気吹出口から吹出される空気を受ける受け部と、前記受け部から前記空気吹出口側に突出して設けられる突出部と、前記突出部に設けられる粘着部と、を備え、前記粘着部が粘着することで、任意の取付位置に取り付けられるとともに、前記粘着部は、再剥離及び再接着を可能とする低粘着性を有する。【選択図】図１０
2016217575.tif 000002
【特許請求の範囲】
【請求項１】
室内機の空気吹出口から吹出される空気の流れる方向を調節する風向調節具であって、
前記風向調節具は、前記空気吹出口から吹出される空気を受ける受け部と、
前記受け部から前記空気吹出口側に突出して設けられる突出部と、
前記突出部に設けられる粘着部と、を備え、
前記粘着部が粘着することで、任意の取付位置に取り付けられる風向調節具。
【請求項２】
前記粘着部は、再剥離及び再接着を可能とする低粘着性を有する請求項１に記載の風向調節具。
【請求項３】
一枚の薄板状の部材を折り目に沿って曲折することで構成される請求項１又は請求項２に記載の風向調節具。
【請求項４】
前記受け部は、平面状に形成され、
前記突出部は、曲面状に形成され、
前記突出部は、前記受け部の前記空気吹出口側を覆うように設けられることで、
前記風向調節具は、中空状の筒状体に形成されるとともに、
前記突出部には、前記空気吹出口から吹出される空気を取り入れる開口部が設けられ、
前記受け部の端部には、前記受け部の中央部側に突出する弧状の折り目が設けられる請求項１から請求項３の何れか一項に記載の風向調節具。
【発明の詳細な説明】
【技術分野】
【０００１】
本発明は、室内機から吹出される空気の流れる方向を調節する風向調節具に関する。
【背景技術】
【０００２】
特許文献１には、室内機から吹出された空気の流れ方向を制御する指向制御板が開示される。指向制御板は、室内機の空気吹出口の前方から吹出される空気を受けるウィングプレートと、このウィングプレートを天井面に取り付けるためのアームとを有する。
【先行技術文献】
【特許文献】
【０００３】
【特許文献１】特開２０１２−２２０１１０号公報
【発明の概要】
【発明が解決しようとする課題】
【０００４】
ウィングプレートの重量が大きいと、室内機の空気吹出口の前方に取り付ける際に空気吹出口の前面に取り付けることが困難になったりすることがあった。
そこで、本発明は、取付が容易な風向調節具を提供することを課題とする。
【課題を解決するための手段】
【０００５】
本発明の風向調節具は、室内機の空気吹出口から吹出される空気の流れる方向を調節する風向調節具であって、前記風向調節具は、前記空気吹出口から吹出される空気を受ける受け部と、前記受け部から前記空気吹出口側に突出して設けられる突出部と、前記突出部に設けられる粘着部と、を備え、前記粘着部が粘着することで、任意の取付位置に取り付けられる。
【０００６】
前記粘着部は、再剥離及び再接着を可能とする低粘着性を有する。
【０００７】
前記風向調節具は、一枚の薄板状の部材を折り目に沿って曲折することで構成される。
【０００８】
前記受け部は、平面状に形成され、前記突出部は、曲面状に形成され、前記突出部は、前記受け部の前記空気吹出口側を覆うように設けられることで、前記風向調節具は、中空状の筒状体に形成されるとともに、前記突出部には、前記空気吹出口から吹出される空気を取り入れる開口部が設けられ、前記受け部の端部には、前記受け部の中央部側に突出する弧状の折り目が設けられる。
【発明の効果】
【０００９】
本発明によれば、容易に、室内機の空気吹出口から吹き出される空気の流れる方向を調節することができる。
【図面の簡単な説明】
【００１０】
【図１】天井面に埋設される室内機を示す図である。
【図２】風向調節具の斜視図である。
【図３】風向調節具の正面図である。
【図４】風向調節具の背面図である。
【図５】風向調節具の平面図である。
【図６】風向調節具の底面図である。
【図７】風向調節具の左側面図である。
【図８】風向調節具の右側面図である。
【図９】風向調節具の展開図である。
【図１０】風向調節具に流れる空気の方向を示す図である。
【図１１】空気吹出口と風向調節具との位置関係を示す側面図である。
【図１２】（ａ）風向調節片を風向調節具の内方側に曲折した状態を示す斜視図（ｂ）風向調節片を風向調節具の外方側に曲折した状態を示す斜視図である。
【図１３】（ａ）風向調節片を風向調節具の内方側に曲折した状態における風向調節具の端部の開口を示す側面図である。（ｂ）風向調節片を風向調節具の外方側に曲折した状態における風向調節具の端部の開口を示す側面図である。
【図１４】風向調節具の風向調節補助体を示す図である。
【図１５】風向調節補助体を使用した状態を示す斜視図である。
【発明を実施するための形態】
【００１１】
添付の図面を参照して風向調節具１について説明する。
風向調節具１は、任意の取付位置に取り付けられることで、壁面又は天井面に埋設されるエアーコンディショナーの室内機１００の空気吹出口１０１から吹出される空気の流れる方向を調節するものである。
【００１２】
図１に示すように、室内機１００は、室内の空気を吸い込む吸込口１０２と、吸い込んだ空気を冷却又は加熱する熱交換器と、冷気又は暖気を吹き出す空気吹出口１０１と、を備える。吸込口１０２は、略正方形状に形成されるとともに、略正方形に形成される吸込口１０２の一辺の長さと同等の一辺の長さを有する細長状の空気吹出口１０１が吸込口１０２の四方にそれぞれ設けられる。
図１及び図１１に示すように、空気吹出口１０１には、風向板１０１ａが設けられており、吹き出される空気は室内機１００の外方側に向けて吹き出されるように構成されている。
任意の取付位置とは、壁面又は天井面に埋設される室内機１００の空気吹出口１０１の枠体（露出面）や空気吹出口１０１の近傍の壁面又は天井面のうち、空気吹出口１０１から吹出される空気を後述の開口部２５を介して風向調節具１内に取り込むことができる位置を指す。
【００１３】
図２から図９に示すように、風向調節具１は、空気吹出口１０１から吹出される空気を受ける受け部１１と、受け部１１から空気吹出口１０１側に突出して設けられる突出部１２と、突出部１２に設けられる粘着部２６と、を備える。
【００１４】
風向調節具１は、ポリエチレンテレフタラート等のプラスチック（樹脂素材）で構成される。
風向調節具１は、一枚の薄板状の部材（厚み０．１ｍｍ〜１ｍｍ）であるプレート２１を該プレート２１の折り目２２に沿って曲折されることで構成される。具体的には、プレート２１は略矩形状に形成され、該プレート２１の任意の対向する辺と平行に設けられる折り目２２に沿って曲折されたのち、任意の対向する辺同士を係止することで中空状の筒状体に構成される。
【００１５】
図９に示すように、折り目２２は、プレート２１を均等に分割しない位置に設けられる。つまり、曲折によってプレート２１は、短辺を有する側のプレートと長辺を有する側のプレートに分割される。プレート２１のうち、短辺を有する側のプレートは受け部１１として構成され、長辺を有する側のプレートは突出部１２として構成される。
【００１６】
長辺を有する側のプレート（突出部１２）の任意の対向する辺には、係止突起２３が所定の間隔をあけて複数設けられる。短辺を有する側のプレート（受け部１１）の任意の対向する辺には、係止突起２３が係止される係止孔２４が同様に所定の間隔をあけて設けられる。
【００１７】
以上の構成において、プレート２１を折り目２２に沿って曲折したのち、突出部１２の係止突起２３を受け部１１の係止孔２４に係止することで、風向調節具１は中空状の筒状体として構成される。つまり、風向調節具１は、短辺を有する側のプレート（受け部１１）は平面状に形成されるとともに、長辺を有する側のプレート（突出部１２）は短辺を有する側のプレート（受け部１１）に応じて曲面状に形成される。そして、突出部１２は、受け部１１の空気吹出口側を覆うように設けられることで、風向調節具１は中空状の筒状体に形成される。以上の構成において、風向調節具１は、その両端部が開口されており、筒状体の横断面は円の一部を切り取った形状をしている。
【００１８】
突出部１２には、空気吹出口１０１から吹出される空気を風向調節具１内に取り入れる開口部２５が設けられる。
突出部１２には、粘着部２６が設けられる。粘着部２６が粘着することで、風向調節具１は、任意の取付位置に取り付けられる。粘着部２６は、風向調節具１の長手方向に沿って（本実施形態では、折り目２２が設けられる方向）設けられる。粘着部２６は、再剥離及び再接着を可能とする低粘着性を有する。
【００１９】
図１０及び図１１に示すように、風向調節具１は、粘着部２６を介して室内機１００の任意の取付位置、本実施形態では、天井面に埋設される室内機１００の枠体（露出面）に取り付けられる。風向調節具１の粘着部２６の長手方向と、細長状に形成される空気吹出口１０１の長手方向と、が重なるように配置される。空気吹出口１０１から空気が吹出される方向に風向調節具１の開口部２５が位置するように、開口部２５と空気吹出口１０１との位置を維持した状態において、突出部１２に設けられる粘着部２６が室内機１００の枠体（露出面）に粘着することで、空気吹出口１０１から吹出される空気を風向調節具１内に取り込むことができる。
【００２０】
以上の構成において、室内機１００の空気吹出口１０１から吹出される空気は開口部２５を介して風向調節具１内部に取り込まれる。取り込まれた空気は、平面状に形成される受け部１１に衝突し、受け部１１の面に沿って流れ、風向調節具１の端部（筒状体の端部）から風向調節具１の外部に排出される。
【００２１】
粘着部２６は、室内機１００の空気吹出口１０１から吹出される空気の圧力によって剥がれない程度の粘着力を有するとともに、剥離後に任意の取付位置に粘着感が残らない低粘着性を有するように構成される。
粘着部２６は、両面テープ等の粘着材や液状の粘着剤等で構成される。両面テープ等の粘着材を使用する場合は、粘着材の空気吹出口１０１と接着する面は、低粘着性を有するように構成される。また、液状の粘着剤等を使用する場合は、風向調節具１に粘着剤を塗布して、粘着剤を固化させることで空気吹出口１０１と接着する面を低粘着性を有するように構成される。
【００２２】
以上のように、突出部１２が受け部１１から空気吹出口１０１側に突出して設けられるとともに、該突出部１２に粘着部２６が設けられることで、容易に任意の取付位置に風向調節具１を取り付けることができる。そのため、容易に、室内機の空気吹出口から吹き出される空気の流れる方向を調節することができる。また、粘着部２６は低粘着性を有する構成にされることで、風向調節具１の着脱が容易となる。
【００２３】
図１１に示すように、室内機１００の空気吹出口１０１から吹出される空気は室内機１００の外方側で、かつ、下方に向かって流れたのち、開口部２５を介して風向調節具１内部に流れる。そして、風向調節具１の端部に向かって流れるように構成される。
つまり、室内機１００の空気吹出口１０１から吹出される空気の流れる方向は、斜め下方から略側方に変更される。
【００２４】
以上のように、室内機１００の空気吹出口１０１から吹出される空気の流れる方向を斜め下方から側方に変更することで、局所に空気を集中しないようにすることができる。
また、冷たい空気は下方に向けて流れるため、斜め下方から側方に空気の流れる方向を変更することで、より満遍なく室内全体を冷却することができる。
【００２５】
本実施形態の風向調節具１は、一枚の矩形状に形成されるプレートの任意の対向する辺と平行に設けられる折り目２２に沿って曲折されたのち、任意の対向する辺同士を係止することで一体的に構成されているが、これに限らず、受け部１１と突出部１２とを別体として構成してもよい。
【００２６】
図１２に示すように、受け部１１の端部には、受け部１１の中央部側に突出する弧状の折り目３１が設けられる。
受け部１１の端部は、該折り目３１に沿って風向調節具１の内方側又は外方側に曲折可能とされることで、風向調節片３２として構成される。
折り目３１に沿って、風向調節片３２を内方側又は外方側に曲折することで、風向調節具１から流れる空気の方向を調節することができる。
【００２７】
例えば、図１２（ａ）及び図１３（ａ）に示すように、風向調節片３２を筒状体の内方側に向けて曲折することで、風向調節具１から排出される空気は、側方で、かつ、上方寄りに流れるように構成される。
風向調節具１から流れ出る空気は、上方寄りに流れることで、室内全体により満遍なく供給される。
【００２８】
また、図１２（ｂ）及び図１３（ｂ）に示すように、風向調節片３２を筒状体の外方側に向けて曲折することで、風向調節具１から排出される空気は、側方で、かつ、下方寄りに流れるように構成される。
風向調節具１から排出される空気は、下方寄りに流れることで、例えば、冷気であれば、より局所的に冷却することができる。
【００２９】
風向調節具１は、さらに風向調節補助体４１を備える。
図１４及び図１５に示すように、風向調節補助体４１は、一枚の薄板状の部材（厚み０．１ｍｍ〜１ｍｍ）によって構成される。風向調節補助体４１は、その短手方向に沿って折り目が二つ設けられる。該折り目に沿って曲折することで、例えば、略クランク状に形成したり、略コの字状に形成したりすることができる。風向調節補助体４１は、ポリエチレンテレフタラート等のプラスチック（樹脂素材）で構成される。
風向調節補助体４１の長手方向の一端には、粘着部４２が設けられる。粘着部２６と同様に、粘着部４２は、再剥離及び再接着を可能とする低粘着性を有する。
【００３０】
以上の構成において、風向調節補助体４１を受け部１１の端部近傍の室内機１００の枠体又は壁面又は天井面に粘着部４２を介して取り付けることで、風向調節具１から流れ出る空気の流れる方向をさらに調節することができる。
【００３１】
図１５に示すように、風向調節補助体４１を受け部１１の端部から流れる空気が室内機１００の外方側に向かうように取り付けることで、風向調節具１から流れる空気を室内全体により満遍なく供給することができる。
このように、風向調節補助体４１を用いることで、風向調節具１から流れる空気をさらに調節することができ、様々な状況に適用することができる。
【００３２】
風向調節具１は、一枚のプレートを切り抜いて加工することで構成される。開口部２５を形成するために抜き取ったパーツは不要となる。風向調節補助体４１は、開口部２５を形成するために抜き取ったパーツを更に加工することで形成される。
以上のように、風向調節具１を生産する際に、生じる不要なパーツを風向調節補助体４１として使用することで、別途生産する必要もないため、省コストである。
【００３３】
また、風向調節具１は、ポリエチレンテレフタラート等の合成樹脂によって形成されるため、比較的軽い素材によって構成される。そのため、万一、任意の取付位置から風向調節具１が外れて落下したとしても、人等に被害を与える可能性は低く、安全性が高い。また、ポリエチレンテレフタラート等の合成樹脂によって形成されるため、安価である。
【００３４】
また、風向調節具１は、ポリエチレンテレフタラート等の合成樹脂によって透明性に優れたプラスチックで構成される。そのため、風向調節具１は、任意の取付位置に不透明の風向調節具がある場合と比べて、透明なため圧迫感がなく、景観を損ねることなく、風向を調節することができる。
【００３５】
上記の実施形態では、風向調節具１は、その両端部が開口されているが、その両端のうち、一端のみが開口されていてもよい。また、風向調節具１の横断面は円から一部を切り取った形状をしているが、これに限らず、たとえば、台形状等でもよい。
【００３６】
本実施形態では、吸込口１０２の四方に空気吹出口１０１が設けられる室内機１００の空気吹出口１０１の枠体又はその近傍に風向調節具１が設けられているが、室内機１００の構成はこれに限らない。
【符号の説明】
【００３７】
１：風向調節具、１１：受け部、１２：突出部、２１：プレート、２２：折り目、２３：係止突起、２４：係止孔、２５：開口部、２６：粘着部、３１：折り目、３２：風向調節片、４１：風向調節補助体、４２：粘着部
【図１】
2016217575.tif 000003
【図２】
2016217575.tif 000004
【図３】
2016217575.tif 000005
【図４】
2016217575.tif 000006
【図５】
2016217575.tif 000007
【図６】
2016217575.tif 000008
【図７】
2016217575.tif 000009
【図８】
2016217575.tif 000010
【図９】
2016217575.tif 000011
【図１０】
2016217575.tif 000012
【図１１】
2016217575.tif 000013
【図１２】
2016217575.tif 000014
【図１３】
2016217575.tif 000015
【図１４】
2016217575.tif 000016
【図１５】
2016217575.tif 000017